(57)【要約】【課題】重量に関して最適化され、自動的にかつ再現可能な方法で製造することができる桁を使用して、従来の制限を克服することができる羽根を提供する。【解決手段】本発明は、放射状セグメント（１）及びその後に傾きを有するセグメント（２）が連続して設けられる回転翼機の羽根（Ｐ）に関し、傾きを有するセグメント（２）は、少なくとも１つの前進角を有するセグメント（２’）及び／又は後退角を有するセグメント（２”）を備える。さらに、羽根は、羽根の根元から延びている１つの桁を有する。本発明は、１つの桁が放射状セグメント（１）内に放射状桁（１０）を備え、その後、１つの桁が分かれ、そこで放射状セグメント（１）が、傾きを有するセグメント（２）となり、その後、傾きを有するセグメント（２）内で一次桁（１１）及び二次桁（１２）を形成することにおいて注目に値する。【選択図】図１
2008207798.tif 000002
【特許請求の範囲】
【請求項１】
回転翼機の羽根（Ｐ）であって、
前記羽根（Ｐ）のピッチ軸（Ａ）に沿って、前記回転翼機のロータハブに固定される前記羽根の根元（２０）から延び前記ハブから離れている前記羽根（Ｐ）の自由端（２１）に向かって連続する放射状セグメント（１）と、これに連なる傾きを有するセグメント（２）と、を備え、
前記傾きを有するセグメント（２）は、少なくとも１つの前進角を有するセグメント（２’）及び／又は後退角を有するセグメント（２”）を有し、
前記羽根（Ｐ）は、前記羽根の根元（２０）から延びる１つの桁をさらに備え、
前記放射状及び傾きを有する各セグメント（１及び２）は、それぞれの前縁（３，４）及び後縁（６，５）を有し、また、上部外皮（８）及び下部外皮（７）を有し、
前記１つの桁は、放射状セグメント（１）内に放射状桁（１０）を有し、次に分かれて前記放射状セグメント（１）が傾きを有するセグメント（２）となり、前記傾きを有するセグメント（２）内に一次桁（１１）及び二次桁（１２）の両方を形成する、
羽根。
【請求項２】
前記１つの桁は、一方向性の無機繊維から作られる、
請求項１に記載の羽根。
【請求項３】
前記放射状桁及び二次桁は、前記ピッチ軸に沿って延びる一方向性の無機繊維を有する、
請求項２に記載の羽根。
【請求項４】
前記一次桁は、前記傾きを有するセグメントの前縁に対して平行の方向に向けられる一方向性の無機繊維を有する、
請求項２に記載の羽根。
【請求項５】
前記放射状桁（１０）は、前記放射状セグメント（１）の前縁（３）内に配置される、
請求項１に記載の羽根。
【請求項６】
前記一次桁（１１）は、前記傾きを有するセグメント（２）の前縁（４）内に配置される、
請求項１に記載の羽根。
【請求項７】
前記二次桁（１２）は、前記傾きを有するセグメント（２）の中央部分内に配置され、
前記中央部分は、前記傾きを有するセグメント（２）の前記前縁（４）と前記後縁（５）との間に延びる、
請求項１に記載の羽根。
【請求項８】
前記二次桁（１２）は、前記傾きを有するセグメント（２）の下部外皮（７）から上部外皮（８）まで延びる高さの細長要素である、
請求項１に記載の羽根。
【請求項９】
前記二次桁（１２）は、前記傾きを有するセグメント（２）の上部外皮（８）に対して平坦に配置された上部二次桁（１２’）を有する、
請求項１に記載の羽根。
【請求項１０】
前記二次桁（１２）は、前記傾きを有するセグメント（２）の下部外皮（７）に対して平坦に配置された下部二次桁（１２”）を有する、
請求項１に記載の羽根。
【請求項１１】
前記二次桁（１２）は、前記放射状桁（１０）と一直線状に配置される、
請求項１に記載の羽根。
【請求項１２】
前記二次桁（１２）は、前記放射状部分（１）の前縁（３）に平行に配置される、
請求項１に記載の羽根。
【請求項１３】
前記二次桁（１２）によって拡張される前記放射状桁（１０）から構成される１つの桁の一部分（１５）に対して、前記部分（１５）が、前記羽根（Ｐ）の全長（Ｌ１）の９０〜９５％の範囲内にある長さ（Ｌ２）を有する、
請求項１に記載の羽根。
【請求項１４】
前記１つの桁は、前記一次桁（１１）と前記二次桁（１２）との間の前記羽根（Ｐ）の上部外皮（８）の少なくとも一部を強化している第１の補強材（１３）を含む、
請求項１に記載の羽根。
【請求項１５】
前記第１の補強材（１３）は、前記ピッチ軸（Ａ）に沿って方向付けられる一方向性の無機繊維によって本質的に構成される織物から作られる、
請求項１４に記載の羽根。
【請求項１６】
前記１つの桁は、前記一次桁（１１）と前記二次桁（１２）との間の前記羽根（Ｐ）の下部外皮（７）の少なくとも一部を強化している第２の補強材（１４）を含む、
請求項１に記載の羽根。
【請求項１７】
前記第２の補強材（１４）は、前記ピッチ軸（Ａ）に沿って方向付けられる一方向性の無機繊維によって本質的に構成される織物から作られる、
請求項１６に記載の羽根。
【請求項１８】
前記傾きを有するセグメント（２）は、前進角を有するセグメント（２’）と、後退角を有するセグメント（２”）と、を連続して有する、
請求項１に記載の羽根。
【発明の詳細な説明】
【技術分野】
【０００１】
本発明は、回転翼機の羽根に関し、羽根の根元の近傍において放射状であるセグメントを備え、さらに少なくとも１つの前進角及び／又は後退角を有するセグメントを備える羽根に関する。
【背景技術】
【０００２】
空力面の傾き（sweep）は、前進方向に対する前記面の向きを特定する際に役に立つことに留意されたい。
【０００３】
それ故、羽根の前進角を有するセグメントは、羽根の前進方向に向けられ、一方、後退角を有するセグメントは、前進方向とは反対の方向に向けられる。
【０００４】
例えば、便宜的に傾きがゼロである放射状セグメントは、羽根の前進方向に対して垂直であることは容易に理解できる。従って、ヘリコプタのメインロータの羽根の放射状セグメント等は、ロータの基準半径に沿って向けられ、従って、「放射状」という用語が使用される。
【０００５】
以下において、「放射状セグメント」という用語は、傾きがゼロであるセグメントを特定するために使用され、「傾きを有するセグメント」という用語は、前進角及び／又は後退角を有するセグメントを示すために使用される。
【０００６】
仏国特許第２，８６５，１８９号は、１つの回転翼機の羽根を開示し、その羽根は、羽根の根元から始まって、放射状、それ故、傾きがゼロであるセグメントと、前進角を有するセグメントと、次に後退角を有するセグメントと、を連続して有する。
【０００７】
このタイプの羽根は、その形状が羽根を嵌合したロータの音響（acoustic signature）を大幅に低減する限りにおいて特に有利である一方、それにもかかわらず、その力学的及び空気力学的な特性を維持する。
【０００８】
それでもなお、その羽根が十分な強度を有することを確実にするためには、第１にその羽根に加わる遠心力を吸収することが特に適切であり、第２にその羽根の前縁が衝撃に確実に耐えるようにすることが適切である。
【０００９】
従来の羽根は、以下のものを含む。
・主として一方向性の無機繊維又は金属に基づいた少なくとも１つの剛性桁。その桁は遠心力に耐え、その遠心力を回転翼機のハブに伝達する働きをする。
・フラッピング及び抗力において硬さを提供し、また、ねじれに耐える能力を羽根に提供する、例えば、無機繊維に基づいた二方向性織物から作られる下部及び上部被覆用外皮。
・そのアセンブリの幾何学的連続性と、下部及び上部被覆用外皮の安定性と、を保証するための少なくとも１つの充填剤ボックス。
【００１０】
桁に嵌合する第１のタイプの羽根は、その桁が羽根の根元から延び、特に、その羽根とハブとの間の固定具から延び、その羽根の全スパンに沿って、その羽根の前縁に配置されるものが周知である。便宜上、以下においては、そのタイプの桁は、「前縁」桁と呼ぶ。
【００１１】
前縁桁は、一般に非常に効果的であり、さらに、衝撃に対して前縁を保護するが、それは、放射状セグメントと、前進角及び／又は後退角を有するセグメントと、の両方を含む羽根の要件を満たすことができるようには見えない。
【００１２】
遠心力の影響下で、このような羽根は完全に真っすぐになるために、「拡開する」傾向がある。そのような状態においては、前縁桁は不十分であることが分かっている。何故なら、前縁桁もまた、前縁におけるその位置が与えられた限りにおいて拡開する傾向があり、また、放射状及び前進角及び／又は後退角を有するセグメントに対応する破線プロファイルを提示するからである。
【００１３】
桁が設置されている第２のタイプの羽根は、その桁が羽根のスパンに沿って羽根の根元から延び、羽根の内部に配置されるものが周知である。便宜上、このタイプの桁は、以下においては、「中央桁」と呼ぶ。
【００１４】
例えば、中央桁は、米国特許第５，１２７，８０２号に記載されている。前記文書には、ガラス繊維から作られる管状の中央桁が記載され、その桁は、炭素繊維から作られる天板及び底板によってさらに強化されている。
【００１５】
それは羽根の前縁に沿って延びていないので、このような中央桁は、放射状となる可能性がある。すなわち、それはロータの半径に沿う方向に向けられる可能性がある。
【００１６】
それにもかかわらず、その桁が放射状セグメント及び傾きを有するセグメントを適用している羽根で使用された場合、その羽根の弦に対してその桁の中央位置がそのスパンに沿って変化することになる。例えば、中央位置がその放射状セグメント内の弦の中間にある場合、中央位置は、必然的に前進角を有するセグメント内の羽根の後縁に近くなる。対照的に、それは後退角を有するセグメントにおいては前縁に必然的に近くなる。
【００１７】
結果として、前進角を有するセグメントにおいては桁を過大寸法にすることが適切であり、それにより重量の問題及び羽根に対するセンタリングの問題が発生する。何故なら、羽根はそのピッチ軸の近傍においてほぼ中央にある必要があるからである。
【００１８】
第３のタイプの羽根は、その羽根のスパンに沿って前縁桁と中央桁の両方を組み合わせるものとして周知である。前縁桁は、例えば、米国特許第５，３４６，３６７号に開示されているように、壁が前記桁及び下部及び上部被覆用外皮によって構成されるねじりボックスによって中央桁から分離されている。
【００１９】
この解決策は、放射状セグメント及び傾きを有するセグメントが設置されている羽根に対して魅力的であり得るが、それは有害な過剰寸法及び過剰重量につながる可能性がある。
【００２０】
最後に、第４のタイプの羽根は、「分配型桁」と呼ぶ桁が設置されているものとして周知である。このような桁は、羽根の下部及び上部外皮に対して延びている部分だけ少し延長されている前縁桁にある。
【００２１】
より正確には、分配型桁は、上部外皮の前部に対して平坦に置かれる第１の無機繊維と、下部外皮の前部に対して平坦に置かれる第２の無機繊維と、を含む。これらの繊維はその羽根の前縁において出会い、従来の前縁桁を構成する。
【００２２】
分配型桁は、羽根の重量が大きく増加することを避けながら、当面の要件を満たす。
【００２３】
それにもかかわらず、放射状セグメントと傾きを有するセグメントとを備える羽根の前縁の破線形状の問題が残っている。放射状セグメントに続いて少なくとも１つの前進角及び／又は後退角を有するセグメントがあることによって、その繊維が極端に複雑な方法でスパンに沿って分配されることになる。これにより、その羽根を作るのに必要な精細さの程度が与えられ、再現するため及び特に自動化するための製造が困難になる。
【発明の開示】
【発明が解決しようとする課題】
【００２４】
本発明の１つの目的は、重量に関して最適化され、自動的にかつ再現可能な方法で製造することができる桁を使用して、前記制限を克服することができる羽根を提供することである。
【課題を解決するための手段】
【００２５】
本発明によれば、回転翼機の羽根が、その羽根の根元から出ている羽根のピッチ軸に沿ってその羽根の自由端に向かって連続して提供され、その羽根の根元は回転翼機のロータハブに固定され、その自由端はハブから離れた端部に配置され、放射状セグメントを備え、さらに傾きを有するセグメントを備え、その傾きを有するセグメントには少なくとも１つの前進角及び／又は後退角を有するセグメントが設けられる。さらに、その羽根は羽根の根元から延びる１つの桁を備え、その放射状セグメント及び傾きを有するセグメントが、それぞれ、前縁及び後縁と、上部外皮及び下部外皮と、を備える。
【００２６】
本発明は、１つの桁がその放射状セグメント内に放射状桁を含み、次にその１つの桁が分かれて、その放射状セグメントが傾きを有するセグメントとなり、それ以降は、一次桁及びその傾きを有するセグメント内の二次桁を形成するようになっていることに留意されたい。結果として、羽根は、１つの桁だけを有し、１つの桁は、第１に、放射状セグメント内に一部分すなわち放射状桁を含み、第２に、その傾きを有する桁内に２つの部分より正確には一次桁及び二次桁を含む。
【００２７】
その羽根のピッチ軸は長手方向の旋回軸であり、その回りを、羽根が空気の外部的な流れに対して入射角を修正するためにピッチを変更して回転する。
【００２８】
有利なことに、放射状、一次、及び二次桁を備える１つの桁が、特に、一方向性の無機繊維から作られていて、その回転翼機のハブに対して遠心力を伝達することができるようになっている。従って、放射状桁及び二次桁はピッチ軸に沿って方向付けられた一方向性の繊維を含み、その一次桁は傾きを有するセグメントの前縁に対して平行に向けられた一方向性の繊維を含む。
【００２９】
放射状桁は、放射状セグメントの前縁に配置されることが好ましい。従って、このようなセグメントは、実際に、前縁桁として働く桁によってハブに対して適切に固定される。
【００３０】
同様に、一次桁は、傾きを有するセグメントの前縁内に配置される。対照的に、二次桁は、傾きを有するセグメントの中央部分に配置され、この中央部分がその前縁と傾きを有するセグメントの後縁との間に位置する。
【００３１】
結果として、傾きを有するセグメントは、放射状桁に連なる一次桁によって表される前縁桁を備える。それにもかかわらず、拡開の影響を避けるために、放射状桁は、また、中央桁、より詳細には、二次桁に分かれる。
【００３２】
従って、そのような構造は、羽根の重量を過剰に増加させることなしにその問題点を完全に満足する。さらに、普通の製造技法を実施することができ、それにより、より低いコストでの製造が保証される。
【００３３】
一次桁が存在するので、二次桁の寸法を過度に大きくする意味がないので、それによって、例えば、羽根の重量及びセンタリングに関連する欠点が回避される。
【００３４】
第１の実施形態においては、二次桁は上部及び下部外皮を相互連結しているリブの形式になっている。次に、二次桁は高さが傾きを有するセグメントの下部外皮と上部外皮との間に延びる細長要素であり、従ってその細長要素が下部及び上部外皮を相互連結する。
【００３５】
第２の実施形態においては、二次桁は傾きを有するセグメントの上部外皮に対して平坦に置かれた上部二次桁及び／又は前記傾きを有するセグメントの下部外皮に対して平坦に置かれた下部二次桁を有する。その時、その二次桁はこの実施形態においては分配型桁であり、従って、それが配置される方法、特に厚さが薄い羽根の場合、その羽根の自由端の近くに配置する方法を最適化することができる。
【００３６】
さらに、二次桁が放射状桁と一直線状に配置されることが有用である。これは、放射状桁が前縁桁である場合に、その放射状セグメントの前縁と二次桁が平行になることを意味する。
【００３７】
それ故、放射状桁及び二次桁は両方とも同じ軸に沿って延び、より正確には、その羽根のピッチ軸に沿って延びる。これは遠心力をロータに伝達するために桁の容量を増加するのに効果的である。
【００３８】
さらに、１つの桁の一部分が二次桁によって拡張された放射状桁から構成されているので、前記部分がその羽根の全長の９０％〜９５％の間の長さを提示する。羽根の端部においては厚さが先細りするので、二次桁の有用性がその羽根の端部に向かって減少し、また桁をその中に配列することがより困難になる。羽根の重量を最適化するとともに、その製造を不利にするのを避けるために、二次桁は羽根の自由端に到達する前に終了される。
【００３９】
それにもかかわらず、要件により、桁の前記部分は、任意選択的にその羽根の全長に沿って延びる場合があり、それ故、長さがそれに等しくなる場合もある。
【００４０】
重量の配分を改善するために、及び、遠心力をより効果的に伝達するために、本発明の１つの変形版においては、１つの桁が一次桁と二次桁との間の羽根の上部外皮の少なくとも一部分を強化する第１の補強材を備える。
【００４１】
この第１の補強材は、二次桁が羽根の端部まで全体に延びない場合に、その二次桁を有していないゾーンを特に被覆するのに役に立つ。それにもかかわらず、一次桁と二次桁との間のゾーンの全てを被覆する部分的でない全体の強化が有利である。
【００４２】
第１の補強材は、構造的には遠心力を伝達するためにだけ役に立つ桁である。この第１の補強材はその羽根の軸に沿って方向付けられる一方向性の無機繊維を必然的に含む織物から作られ、及び自然に適切な樹脂と関連付けられ、従来のように縦糸と横糸の方向における無機繊維の本質的に平衡のとれた量を有する織物によるものではない。
【００４３】
同様に、一次桁と二次桁との間の羽根の下部外皮の少なくとも一部分を強化する第２の補強材を含む。その第２の補強材は、一方向性の無機繊維から作られ、二方向性織物の形ではなく、繊維が前記基準半径に沿って延びる。
【００４４】
最後に、有利なことに、傾きを有するセグメントは、連続して、前進角を有するセグメントと後退角を有するセグメントとを含み、それ故、その羽根は、連続して、羽根の根元から羽根の自由端まで、傾きを有するセグメントが後に続く放射状セグメントを備え、その傾きを有するセグメント自身が、前進角を有するセグメント及びそれに続く後退角を有するセグメントから作られる。この構成はノイズを抑制するのに効果的であり、分割する１つの桁に関連する本発明はそれに対して特によく適合される。
【００４５】
本発明及びその利点は、特性を限定することなしに与えられた好ましい実施形態を示す以下の記載において、添付の図面を参照しながらより詳細に示される。
【発明を実施するための最良の形態】
【００４６】
２つ以上の図に現れる要素は、それぞれに同じ参照番号が付けられている。
【００４７】
図１は、ヘリコプタ等の回転翼機に対する本発明の羽根Ｐの概略図である。
【００４８】
羽根Ｐは、回転翼機を持ち上げて推進させるために、羽根の根元２０を経由して回転翼機のハブ（図示せず）に固定される。
【００４９】
羽根Ｐは、その根元２０又は軸（shank）から、ロータから離れている羽根Ｐの端部にあるその自由端２１まで、前進角を有するセグメント２’及び後退角を有するセグメント２”を含む傾きを有するセグメント２が続いている放射状セグメント１を連続して含む。
【００５０】
放射状セグメント１は、羽根の前進方向Ｓに対して垂直であることが想起される。対照的に、傾きを有するセグメント２は、前進方向Ｓ及び／又は前進方向Ｓとは反対の方向に向けられる。より詳細には、記載されているこの例においては、傾きを有するセグメント２の前進角を有するセグメント２’は、前進方向Ｓに向けられ、一方、傾きを有するセグメント２の後退角を有するセグメント２”は、前進方向Ｓとは反対の方向に向けられる。
【００５１】
従来の方法においては、放射状セグメント１及び傾きを有するセグメント２は、それぞれ前縁３、４及び後縁６、５を有する。同様に、放射状セグメント１及び傾きを有するセグメント２には、圧縮側の外皮（又は下部外皮）７及び吸引側の外皮（又は上部外皮）８が、図３の断面図に示すように設置されている。
【００５２】
さらに、羽根Ｐは、ピッチ軸Ａの回りを回転するのに適していることが分かる。このピッチ設定の操作は、例えば、その羽根の揚力を増加させるか又はそれを低減するために、通過する空気の流れに対する羽根Ｐの入射角を変化させるのに役に立つ。
【００５３】
さらに、羽根Ｐが受ける遠心力がハブに対して確実に伝達されるように、羽根Ｐには、羽根の根元２０から出発してピッチ軸Ａに沿って方向付けられる一方向性の無機繊維から作られる１つの桁が設置される。
【００５４】
放射状セグメント１においては、１つの桁が、羽根の根元２０から延びる放射状桁１０から構成される。この放射状桁は、それが放射状セグメント１の前縁３に配置される限りにおいて前縁型の桁である。
【００５５】
傾きを有するセグメント２においては、１つの桁は、一次桁１１と二次桁１２とを有する。
【００５６】
それ故、羽根Ｐは、放射状桁１０から構成される１つの桁を有し、放射状桁１０は、一次桁１１と二次桁１２に分かれ、そこで放射状セグメント１が傾きを有するセグメント２となる。
【００５７】
より正確には、一次桁１１は、傾きを有するセグメント２の前縁４に沿って配列された前縁桁である。
【００５８】
対照的に、二次桁１２は、中央桁である。中央桁は、その羽根の内部に配置され、最初に、傾きを有するセグメント２の下部外皮と上部外皮との間に配置され、第２に、傾きを有するセグメントの前縁４と後縁５との間に配置される。さらに、二次桁１２は、ピッチ軸上に設置されるのが有利であり、特に、放射状セグメント１の前縁に沿って、それ故、放射状桁１０と一直線状になるのが有利である。
【００５９】
遠心力は、次に一次桁１１及び二次桁１２によって吸収され、また二次桁は、羽根Ｐが拡開するのを防止するように働く。結果として、一次桁１１が存在するので、二次桁１２の寸法を過大にする必要はない。
【００６０】
その後、これらの遠心力は、一次桁１１と二次桁１２が両方とも接続される放射状桁１０に伝達され、最後に回転翼機のハブに伝達される。
【００６１】
羽根の自由端２１の近傍における羽根の厚さは薄いので、二次桁１２が傾きを有するセグメント２に沿って全体に延びる必要はない。
【００６２】
放射状桁１０及び二次桁１２から構成される桁部分１５の長さＬ２は、羽根Ｐの全長Ｌ１より短い。前記全長は、羽根の根元２０からその自由端２１までの長さである。長さＬ２は、羽根Ｐの全長Ｌ１の９０％〜９５％の範囲内にあることが好ましい。
【００６３】
図２は、本発明の１つの変形版を示している。
【００６４】
この変形版においては、羽根Ｐは、上部外皮の内側を覆っている第１の補強材１３、及び、下部外皮の内側を覆っている第２の補強材１４を備える。
【００６５】
これら第１及び第２の補強材１３、１４は、ピッチ軸Ａに沿った方向に向けられる本質的に一方向性の無機繊維によって構成された繊維片であり、それらは１つの桁の一体化された部分を構成する。
【００６６】
それらは、一次桁１１から二次桁１２まで延びる空間の全てを覆う。それ故、第１及び第２の補強材１３及び１４は両方とも、放射状桁１０、一次桁１１及び二次桁１２に固定される。
【００６７】
これらの補強材は軸方向の力だけを積極的に吸収し、それ故、羽根に加えられた軸方向の力だけを回転翼機のハブに伝達する。
【００６８】
もう１つの変形版によると、その被覆態様は部分的である。例えば、その補強材は、ゾーンＺ１内に二次桁がない場合に補償するために、影の付けられたゾーンＺ１のみをカバーする。この構成においては、第１及び第２の補強材１３及び１４は、二次桁１２の端部及び一次桁１１の端部にのみ固定される。
【００６９】
図３は、第１の実施形態における傾きを有するセグメント２”を通る断面である。
【００７０】
この断面は、特に二次桁１２、羽根の下部外皮７の内側を覆っている第１の補強材１４、及び、羽根の上部外皮８の内側を覆っている第２の補強材１３を示す。
【００７１】
この第１の実施形態においては、二次桁１２は、Ｉ断面の細長要素１２”’である。この細長要素は厚さが厚く、その高さは、下部外皮７から羽根の上部外皮８まで延びる。
【００７２】
図４は、第２の実施形態における傾きを有するセグメント２”を通る断面である。
【００７３】
この実施形態においては、二次桁は、分配型桁の一種である。結果として、二次桁は、傾きを有するセグメント２の上部外皮８の内側に対して平坦に設置された上部二次桁１２’を含む。
【００７４】
同様に、二次桁１２は、傾きを有するセグメント２の下部外皮７の内側に対して平坦に置かれた下部二次桁１２”を備える。
【００７５】
当然、本発明は、それが実施される方法において多くの変形版が可能である。上ではいくつかの実施形態が説明されたが、網羅的に全ての可能な実施形態を識別することは想定されていないことを理解されたい。本発明の許容範囲を超えることなしに、記載された手段のいずれかを等価な手段によって交換することができることは当然である。
【００７６】
例えば、記述された放射状桁は、一次桁と二次桁とに分かれ、そこで放射状セグメントが傾きを有するセグメントとなる。
【００７７】
それにもかかわらず、この分離の位置を羽根の全長Ｌ１の１０％程度の距離だけ羽根の翼端に向けて少しオフセットすることができる。
【図面の簡単な説明】
【００７８】
【図１】本発明に係る羽根の概略図である。
【図２】本発明に係る羽根の変形版の概略図である。
【図３】第１の実施形態における傾きを有するセグメントの断面図である。
【図４】第２の実施形態における傾きを有するセグメントの断面図である。
【図１】
2008207798.tif 000003
【図２】
2008207798.tif 000004
【図３】
2008207798.tif 000005
【図４】
2008207798.tif 000006
【外国語明細書】
2008207798000001.pdf